(57)【要約】【課題】第一側面破断線における強度を確保しながらも、第一側面破断線を破断させた際に残される部分の見栄えの悪化が抑制された段ボール箱を提供する。【解決手段】天面、底面、一対の第一側面及び一対の第二側面とを備えた、商品包装用の段ボール箱であって、該段ボール箱から商品陳列販売用のトレイを形成するための破断線又は該段ボール箱に商品取り出し用の開口部を形成するための破断線の少なくとも一部として、第一側面に、水平方向に沿って第一側面破断線が備えられ、第一側面破断線は、水平方向に平行な複数の直線状切込線２２ａと、直線状切込線２２ａどうしの間ごとに配置された複数の非直線状切込線２２ｂとが備えられ、非直線状切込線２２ｂは、その両端部が、直線状切込線２２ａの配置された高さよりも底面側に位置するように構成されている。【選択図】図３
2020001764.tif 000002
【特許請求の範囲】
【請求項１】
天面、底面、一対の第一側面及び一対の第二側面とを備えた、商品包装用の段ボール箱であって、
該段ボール箱から商品陳列販売用のトレイを形成するための破断線又は該段ボール箱に商品取り出し用の開口部を形成するための破断線の少なくとも一部として、前記第一側面に、水平方向に沿って第一側面破断線が備えられ、
前記第一側面破断線は、水平方向に平行な複数の直線状切込線と、前記直線状切込線どうしの間ごとに配置された複数の非直線状切込線とが備えられ、
前記非直線状切込線は、その両端部が、前記直線状切込線の配置された高さよりも前記底面側に位置するように構成されている段ボール箱。
【請求項２】
前記非直線状切込線は、前記両端部の間に位置する頂部が、前記直線状切込線の配置された高さよりも前記天面側に位置するように構成されている請求項１に記載の段ボール箱。
【請求項３】
前記第一側面破断線は、前記直線状切込線の前記水平方向に沿った長さが、前記非直線状切込線の前記水平方向に沿った長さよりも短いように構成されている請求項１又は２に記載の段ボール箱。
【請求項４】
前記直線状切込線の前記水平方向に沿った長さと、前記直線状切込線と前記非直線状切込線との間のつなぎ部の前記水平方向に沿った長さとが同じ、又は前記直線状切込線の前記水平方向に沿った長さが、前記直線状切込線と前記非直線状切込線との間のつなぎ部の前記水平方向に沿った長さよりも長い請求項３に記載の段ボール箱。
【請求項５】
前記非直線状切込線は、天面に向けて凸状に配置された円弧状切込線である請求項１から４のいずれか一項に記載の段ボール箱。
【請求項６】
前記直線状切込線と前記非直線状切込線は、全切線である請求項１から５のいずれか一項に記載の段ボール箱。
【請求項７】
前記第二側面は、前記天面に連なる一対の上方外フラップと、前記第一側面に連なる一対の内フラップ対と、前記底面に連なる一対の下方外フラップとから構成され、
前記天面に該天面を横断する天面破断線が備えられ、
前記上方外フラップに、該上方外フラップを縦断する上方外フラップ破断線が備えられ、
前記内フラップに、該内フラップを横断する内フラップ破断線が備えられ、
前記第一側面破断線は、前記第一側面の水平方向の両端に備えられた一対の第一側面破断導入線の間に配置され
前記内フラップ破断線は、前記第一側面破断導入線と連なっている請求項１から６のいずれか一項に記載の段ボール箱。
【請求項８】
前記第一側面破断線は、前記下方外フラップの上縁より高い位置に備えられている請求項７に記載の段ボール箱。
【発明の詳細な説明】
【技術分野】
【０００１】
本発明は、天面、底面、一対の第一側面及び一対の第二側面とを備えた、商品包装用の段ボール箱に関する。
【背景技術】
【０００２】
従来より、商品包装用の箱として、表ライナと裏ライナとの間に波形に成形された中芯を挟んで構成される段ボールシートから構成されている段ボール箱が広く使用されている。
【０００３】
特許文献１には、天面、底面、一対の長側面及び一対の短側面のうち、一対の長側面及び一対の短側面に、ミシン目状の全切線から構成された破断可能線が設けられており、該破断可能線を破断することによって、破断可能線より下の部分が商品陳列販売用のトレイとして使用可能に構成された段ボール箱が開示されている。
【０００４】
また、特許文献２には、陳列販売時に積み重ねが可能なように、天面及び長側面の一部に、ミシン目状の全切線から構成された破断誘導線が設けられており、該破断誘導線を破断することによって、陳列販売における商品取り出し用の開口部が形成可能に構成された段ボール箱が開示されている。
【先行技術文献】
【特許文献】
【０００５】
【特許文献１】特開２０１７−９５１３７号公報
【特許文献２】特開２０１６−１９０６４５号公報
【発明の概要】
【発明が解決しようとする課題】
【０００６】
いずれの段ボール箱も、トレイや開口部の形成時に、上述の破断可能線や破断誘導線から逸れて破断したり、逸れないにしても表層の剥がれが破断の進行に伴って拡大したりして、見栄えが悪化する虞があった。
【０００７】
破断可能線や破断誘導線のミシン目のピッチを細かくすると、ミシン目を構成する全切線どうしの間のつなぎ部が短くなり、したがって応力集中が発生する全切線の両端部どうしが近接することになるため、破断可能線や破断誘導線から逸れた破断や、表層の剥がれは抑制しやすくなる。しかし、全切線の両端部どうしが同じ高さ位置において近接することにより、破断可能線や破断誘導線における強度が低下することから、商品を包装した搬送時の衝撃などにより破断してしまう虞があった。
【０００８】
本発明は、上述したような問題点を解決するためのものであり、第一側面破断線における強度を確保しながらも、第一側面破断線を破断させた際に残される部分の見栄えの悪化が抑制された段ボール箱を提供することを目的としている。
【課題を解決するための手段】
【０００９】
上述の目的を達成するための、本発明に係る段ボール箱の特徴構成は、天面、底面、一対の第一側面及び一対の第二側面とを備えた、商品包装用の段ボール箱であって、該段ボール箱から商品陳列販売用のトレイを形成するための破断線又は該段ボール箱に商品取り出し用の開口部を形成するための破断線の少なくとも一部として、前記第一側面に、水平方向に沿って第一側面破断線が備えられ、前記第一側面破断線は、水平方向に平行な複数の直線状切込線と、前記直線状切込線どうしの間ごとに配置された複数の非直線状切込線とが備えられ、前記非直線状切込線は、その両端部が、前記直線状切込線の配置された高さよりも前記底面側に位置するように構成されている点にある。
【００１０】
発明者らは鋭意研究の結果、応力集中が発生する直線状切込線の端部と、直線状切込線の端部とが、高さ方向において異なる位置に配置されているときに、第一側面破断線が同じ高さに配置された直線状切込線のみから構成される場合に比べて、つなぎ部の強度を確保することができるという知見を得た。そして、第一側面破断線の破断時においては、直線状切込線の端部から斜め下に向けた破断や表層の剥がれを、非直線状切込線の端部によって遮ることができることも見出した。このような知見に基づいて、上述のように構成することにより、第一側面破断線における強度を確保しながらも、第一側面破断線から逸れた破断や表層の剥がれの拡大を防ぐことができるので見栄えの悪化を抑制することができるようになった。
【００１１】
なお、非直線状とは、円弧形状、台形形状、山形形状、これらを組み合わせた形状等が例示でき、その際、各形状は、該破断線の正面視において、左右対称であってもよいし、非対称であってもよい。つなぎ部の強度の確保の観点からは、非直線状切込線の端部は、直線状切込線の端部に対して角度を有することが好ましい。
【００１２】
本発明においては、前記非直線状切込線は、前記両端部の間に位置する頂部が、前記直線状切込線の配置された高さよりも前記天面側に位置するように構成されていると好適である。
【００１３】
上述の構成によると、直線状切込線は、非直線状切込線の頂部と端部との間に位置することによって、直線状切込線からの破断が、例えば、斜め上に伸びても、斜め下に伸びても非直線状切込線につながりやすいので、第一側面破断線から逸れた破断や表層の剥がれの拡大を防ぐことができる。また、第一側面破断線の破断により形成されるトレイないし開口部の縁部には、非直線状切込線によって少なくとも一部が形作られた切断面が、つなぎ部を破断させることによって形成される破断面よりも高い位置において並ぶことになる。したがって、該縁部の見栄えがよい。なお、頂部とは、非直線状切込線のうち最も天面側に位置する部分をいう。
【００１４】
本発明においては、前記第一側面破断線は、前記直線状切込線の前記水平方向に沿った長さが、前記非直線状切込線の前記水平方向に沿った長さよりも短いように構成されていると好適である。
【００１５】
発明者らは鋭意研究の結果、直線状切込線の、第一側面の水平方向に沿った長さが、非直線状切込線の、第一側面の水平方向に沿った長さより短いほうが、長いときよりも、第一側面の破断前における強度をより確保することができるという知見を得た。
【００１６】
本発明においては、前記直線状切込線の前記水平方向に沿った長さと、前記直線状切込線と前記非直線状切込線との間のつなぎ部の前記水平方向に沿った長さとが同じ、又は前記直線状切込線の前記水平方向に沿った長さが、前記直線状切込線と前記非直線状切込線との間のつなぎ部の前記水平方向に沿った長さよりも長いと好適である。
【００１７】
上述の構成によると、第一側面の破断前における強度を確保しつつ、破断させやすくすることができる。
【００１８】
本発明においては、前記非直線状切込線は、天面に向けて凸状に配置された円弧状切込線であると好適である。
【００１９】
非直線状切込線が、矩形や台形などの角部を有する形状から構成された切込線であると、該角部に応力が集中し、そこから望ましくない方向に破断や表層の剥がれが発生する虞がある。これに対して、上述の構成によると、応力が円弧状切込線の一部に集中しないため、上述のような虞がない。また、第一側面破断線において破断した後に、破断により形成される縁部には、円弧形状が並ぶことになり見栄えがよい。さらに、第一側面破断線を破断することによって形成されるトレイや開口部を介して、段ボール箱に包装された商品を取り出す際に、手や商品が縁部に引っかかる虞もない。なお、円弧状とは、必ずしも正円の一部の弧形状である必要はなく、楕円、長円等の一部の弧形状であってもよい。
【００２０】
本発明においては、前記直線状切込線と前記非直線状切込線は、全切線であると好適である。
【００２１】
上述の構成によると、第一側面破断線の破断により形成される縁部には、全切線から構成された直線状切込線及び非直線状切込線によって形作られた切断面が、つなぎ部を破断させることによって形成される破断面の間に並ぶことになるため見栄えがよい。
【００２２】
本発明においては、前記第二側面は、前記天面に連なる一対の上方外フラップと、前記第一側面に連なる一対の内フラップ対と、前記底面に連なる一対の下方外フラップとから構成され、前記天面に該天面を横断する天面破断線が備えられ、前記上方外フラップに、該上方外フラップを縦断する上方外フラップ破断線が備えられ、前記内フラップに、該内フラップを横断する内フラップ破断線が備えられ、前記第一側面破断線は、前記第一側面の水平方向の両端に備えられた一対の第一側面破断導入線の間に配置され、前記内フラップ破断線は、前記第一側面破断導入線と連なっていると好適である。
【００２３】
上述の構成によると、段ボール箱から、内フラップ破断線、第一側面破断導入線及び第一側面破断線において破断させることによって、トレイを形成することができる。その際、第一側面において、少なくとも第一側面破断線が配置されていた部分より下面の見栄えの悪化が抑制される。
【００２４】
本発明においては、前記第一側面破断線は、前記下方外フラップの上縁より高い位置に備えられていると好適である。
【００２５】
上述の構成によると、第一側面は、下方外フラップの上縁より高い位置に備えられた第一側面破断線において破断されるため、トレイとしての強度が確保される。
【図面の簡単な説明】
【００２６】
【図１】本発明に係る段ボール箱を構成するボックスブランクの説明図
【図２】本発明に係る段ボール箱の斜視図
【図３】第一側面に備えられた第一側面破断線の説明図
【図４】段ボール箱の開封中の斜視図
【図５】段ボール箱の開封後の斜視図
【図６】別実施形態に係る第一側面破断線の説明図
【図７】別実施形態に係る第一側面破断線の説明図
【図８】別実施形態に係る第一側面破断線の説明図
【発明を実施するための形態】
【００２７】
以下、本発明の実施形態を図面に基づいて説明する。図１には、本発明に係る段ボール箱１（図２参照）を組み立てることができるボックスブランク１０が示されている。図１において、ボックスブランク１０は、図２に示された段ボール箱１を組み立てたときに内面となる面が示されている。図１に示す面の裏面、つまり段ボール箱１の表面となる面には、段ボール箱１に包装される商品の商標や宣伝、商品管理や物流管理のためのバーコードなどが印刷されている。なお、図５を除き包装される商品は図示が省略されている。
【００２８】
ボックスブランク１０は、表ライナと裏ライナとの間に波形に成形された中芯を挟んで構成される段ボールシート１１から構成され、図２に示された段ボール箱１の天面２を構成する天面部１２、前面３を構成する前面部１３、底面４を構成する底面部１４及び後面５を構成する後面部１５が各間に罫線を介してこの順に備えられている。後面部１５に、天面部１２と後面部１５とを接合する継ぎ代１６が罫線を介して備えられている。継ぎ代１６は、後面部１５側ではなく、天面部１２側に備えられていてもよい。なお、前や後の文言は、図２の左下側から段ボール箱１を見たときの手前側と奥側とを区別するための表現にすぎない。本実施形態における前面３及び後面５が、本発明に係る一対の第一側面である。したがって、本明細書においては前面や後面は、それぞれ第一側面と読み替えることができる。
【００２９】
天面部１２の側縁に罫線を介して一対の上方外フラップ１７，１７が備えられ、前面部１３の側縁に罫線を介して一対の前方内フラップ１８，１８が備えられ、底面部１４の側縁に罫線を介して一対の下方外フラップ１９，１９が備えられ、後面部１５の側縁に罫線を介して一対の後方内フラップ２０，２０が備えられている。前方内フラップ１８，１８及び後方内フラップ２０，２０が、本発明に係る内フラップである。
【００３０】
上述のように構成された、ボックスブランク１０の底面部１４の上に商品を配置し、前面部１３、後面部１５を立ち上げ、天面部１２と後面部１５とを継ぎ代１６において、例えば接着剤によって接合することによって、天面２、前面３、底面４及び後面５が構成される。そして、上方外フラップ１７と、前方内フラップ１８や後方内フラップ２０との重なる面、及び、下方外フラップ１９と、前方内フラップ１８や後方内フラップ２０との重なる面を、例えば接着剤によって接合することによって、段ボール箱１の一対の第二側面６が構成され、図２に示された段ボール箱１となる。
【００３１】
段ボール箱１はいわゆるショートフラップであり、上方外フラップ１７の下縁と下方外フラップ１９の上縁とが離間しており、前方内フラップ１８の後縁と後方内フラップ２０の前縁とが離間していることから、段ボール箱１の第二側面６の中央には開口７が形成される。したがって、段ボール箱１は、これに包装される商品を開口７を介して容易に確認することができる。
【００３２】
段ボール箱１の寸法は、包装される商品の大きさ、重量、個数に応じて決定される。本実施形態における段ボール箱１は、内寸法が幅４０２ｍｍ、奥行き２６８ｍｍ、高さ２２４ｍｍであり、外寸法が幅４１４ｍｍ、奥行き２７４ｍｍ、高さ２３０ｍｍである。使用する段ボールシート１１は、例えばＢ段の両面段ボールであり、表ライナ／中芯／裏ライナは、白Ｃ２１０／強化１２０／Ｋ１７０である。ただし、段ボールシート１１の構成については上記のものに限定されず、他の構成であってもよい。本実施形態においては段ボール箱１には、商品として２４本の５２５ｍｌのＰＥＴボトル入り飲料Ｐを包装することができる（図５参照）。なお、段ボール箱１は、包装される商品に応じた寸法を有していれば良く、したがって第一側面の横幅が第二側面の横幅より広い必要はない。例えば、第一側面と第二側面とが同じ横幅を有していてもよし、第一側面の横幅が第二側面の横幅よりも狭くてもよい。
【００３３】
図１に示すように、ボックスブランク１０は、天面部１２に天面破断線２１が備えられ、前面部１３に前面破断線２２及び前面破断導入線２３が備えられ、後面部１５に後面破断線２４及び後面破断導入線２５が備えられ、上方外フラップ１７に上方外フラップ破断線２６が備えられ、前方内フラップ１８に前方内フラップ破断線２７が備えられ、後方内フラップ２０に後方内フラップ破断線２８が備えられている。天面部１２の中央には、天面破断線２１を跨ぐように指入部９を形成するための指入破断線２９が備えられている。上方外フラップ１７の中央には、取手部８を形成するための取手破断線３０が備えられている。
【００３４】
天面破断線２１は、天面部１２を概して斜めに横断するように配置されている。天面破断線２１は、この天面破断線２１によって二分された天面部１２の面積が等しくなる位置に備えられている。
【００３５】
前面破断線２２は、前面部１３のうち中央よりも底面部１４側に寄った位置、好ましくは段ボール箱１を組み立てたときに、高さ方向中央以下かつ下方外フラップ１９の上縁と同じ高さ以上の位置を概して水平に横断するように配置されている。前面破断導入線２３は、前面破断線２２の両端部から天面部１２側へ傾斜するように配置されている。
【００３６】
後面破断線２４は、後面部１５のうち中央よりも底面部１４側に寄った位置、好ましくは段ボール箱１を組み立てたときに、高さ方向中央以下かつ下方外フラップ１９の上縁と同じ高さ以上の位置を概して水平に横断するように配置されている。後面破断導入線２５は、後面破断線２４の両端部から継ぎ代１６側へ傾斜するように配置されている。
【００３７】
前面破断線２２及び後面破断線２４が、本発明に係る第一側面破断線であり、前面破断導入線２３及び後面破断導入線２５が、本発明に係る第一側面破断導入線である。
【００３８】
上方外フラップ破断線２６は、段ボール箱１を組み立てたときに、上端が天面破断線２１に連なり、下端が上方外フラップ１７の中心線に対して約１０度、前方内フラップ１８側又は後方内フラップ２０側へ傾斜し、一方の上方外フラップ１７において、その終端が前方内フラップ１８の後縁と重なる位置に備えられ、他方の上方外フラップ１７において、その終端が、後方内フラップ２０の前縁と重なる位置に備えられている。
【００３９】
上方外フラップ破断線２６は、前方内フラップ１８や後方内フラップ２０とを接合した箇所を避けて配置されている。上方外フラップ１７の幅方向中央に取手部８を設けた際に、上方外フラップ破断線２６が取手部８を避けることができるため、取手部８における強度の低下の虞もない。
【００４０】
前方内フラップ破断線２７は、一端が前面破断導入線２３に連なり、他端が前方内フラップ１８の側縁において、段ボール箱１を組み立てたときに下方外フラップ１９の上縁と重なる位置の近傍、好ましくは同じ高さに設けられた切欠き３１に連なるように斜めに配置されている。なお、前方内フラップ破断線２７と前面破断導入線２３とは、本実施形態のように前面部１３と前方内フラップ１８との稜において間接的に連なる場合に限らず、全切線を介して直接的に連なる構成であってもよい。
【００４１】
後方内フラップ破断線２８は、一端が後面破断導入線２５に連なり、他端が後方内フラップ２０の側縁において、段ボール箱１を組み立てたときに下方外フラップ１９の上縁と重なる位置の近傍、好ましくは同じ高さに設けられた切欠き３２に連なるように斜めに配置されている。なお、後方内フラップ破断線２８と後面破断導入線２５とは、本実施形態のように後面部１５と後方内フラップ２０との稜において間接的に連なる場合に限らず、全切線を介して直接的に連なる構成であってもよい。
【００４２】
図１から看取できるように、前面破断線２２、前面破断導入線２３、前方内フラップ破断線２７及び切欠き３１と、後面破断線２４、後面破断導入線２５、後方内フラップ破断線２８及び切欠き３２とは、それぞれ底面部１４に対して対称となる位置に備えられる。
【００４３】
次に、各破断線について詳述する。
天面破断線２１は、段ボールシート１１の表裏を貫通する長さ８ｍｍの全切線が８ｍｍピッチで連続した主線部と、各全切線に破断を誘導する二本の誘導線部とが備えられた、Ｙ字状の切れ込みから構成されている。両誘導線部のうち、一方は主線部を構成する全切線に連続した長さ５ｍｍ程度の全切線であり、他方は１ｍｍ程度離間した長さ５ｍｍ程度の全切線であり、両誘導線部は、主線部を構成する全切線に対してそれぞれ２０度の傾きをもつ。なお、全切線とは、段ボールシート１１を構成する表ライナ、中芯、及び裏ライナが切断された切込線である。以下同様である。
【００４４】
図３に示すように、前面破断線２２は、水平方向に平行な複数の直線状切込線２２ａと、直線状切込線２２ａどうしの間ごとに配置された複数の非直線状切込線２２ｂとを備えて構成されている。直線状切込線２２ａ及び非直線状切込線２２ｂは、段ボールシート１１の表裏を貫通する全切線から構成されている。なお、後面破断線２４は、前面破断線２２と同様に構成されているため説明を省略する。
【００４５】
非直線状切込線２２ｂは、本実施形態においては、天面部１２（図１参照）に向けて凸状に配置された円弧状切込線から構成されている。
【００４６】
直線状切込線２２ａは、水平方向に沿った長さは約５ｍｍである。非直線状切込線２２ｂは、半径約２４ｍｍの円の一部であって、水平方向に沿った円弧幅は約２５ｍｍであり、円弧高さは約３．５ｍｍである。直線状切込線２２ａと非直線状切込線２２ｂとは、水平方向に沿って約４．５ｍｍ離間している。非直線状切込線２２ｂは、その両端部が、直線状切込線２２ａの配置された高さよりも約２ｍｍだけ底面部１４（図１参照）側に位置し、前記両端部の間に位置する頂部が、直線状切込線２２ａの配置された高さよりも約１．５ｍｍだけ天面部１２（図１参照）側に位置するように構成されている。
【００４７】
前面破断導入線２３は、前方内フラップ破断線２７と、前面破断線２２のうち両端の直線状切込線２２ａへと破断が導かれるような複数の全切線２３ａ，２３ｂ，２３ｃ，２３ｄから構成されている。なお、前面破断導入線２３を構成する全切線は図示のものに限らない。後面破断導入線２５は、前面破断導入線２３と同様に構成されているため説明を省略する。
【００４８】
上方外フラップ破断線２６は、段ボールシート１１の表裏を貫通する長さ８ｍｍの全切線が８ｍｍピッチで連続した主線部と、各全切線に破断を誘導する誘導線部とが備えられた、くの字状の切れ込みから構成されている。該誘導線部は、該主線部を構成する全切線に連続した、半径１０ｍｍで、長さ６ｍｍ程度の円弧状の全切線である。上方外フラップ破断線２６は、その終端が上方外フラップ１７の側縁まで至っておらず、前記下端は該主線部を構成する全切線に対して１０度の傾きをもち、かつ、該側縁から１５ｍｍ離間した箇所で終了している。なお、上方外フラップ破断線２６は、その終端が上方外フラップ１７の側縁まで至るように備えられてもよい。
【００４９】
前方内フラップ破断線２７及び後方内フラップ破断線２８は、段ボールシート１１の表裏を貫通する長さ５ｍｍの全切線が７ｍｍピッチで連続した主線部と、各全切線に破断を誘導する誘導線とが備えられた、くの字状の切れ込みから構成されている。該誘導線部は、該主線部を構成する全切線に連続した、半径５ｍｍで、長さ３ｍｍ程度の円弧状の全切線である。
【００５０】
切欠き３１，３２は、側縁に対して幅１５ｍｍ程度、深さ２０ｍｍ程度のくさび形状をしている。
【００５１】
指入破断線２９は、適当なミシン目状の切り込みによって、長さ７５ｍｍ程度、幅４０ｍｍ程度の指入部９を形成可能に構成されている。指入部９から両手の指先をしっかりと挿し入れて、天面２をしっかり掴むことができるため段ボール箱１の開封性がよい。
【００５２】
取手破断線３０は、適当なミシン目状の切り込みによって、幅７０ｍｍ程度、高さ３０ｍｍ程度の取手部８としての開口を形成可能に構成されている。
【００５３】
これら各破断線を構成する切れ込みの長さやピッチの具体的な数値は、本実施形態における段ボールシート１１の場合に好適な一例であって、段ボールシート１１の構成に応じ、段ボール箱１としての強度を十分に確保しながらも、開封の際に良好に破断できるように適宜設定される。
【００５４】
図１に示されるボックスブランク１０から、図２に示す段ボール箱１が組み立てられる。段ボール箱１は、ＰＥＴボトル入り飲料Ｐを包装した状態で、メーカーから出荷され、酒屋やスーパーマーケット等に配送される。そして、酒屋やスーパーマーケット等の店頭で陳列される。
【００５５】
この段ボール箱１を開封する際には、まず、指入破断線２９を破断し指入部９に両手の指先を挿し入れて天面２を掴み、天面破断線２１を破断させることにより天面２を前後に切り開く。次いで天面破断線２１に連なる上方外フラップ破断線２６を破断させる。これにより上方外フラップ１７を前後に切り開くことができる。
【００５６】
図４に示すように、前方内フラップ破断線２７は、天面２及び上方外フラップ１７を前後に切り開くときの動作によって、前方破断誘導端である切欠き３１を起点として前方内フラップ破断線２７が破断される。
【００５７】
同様に、後方内フラップ破断線２８は、天面２及び上方外フラップ１７を前後に切り開くときの動作によって、後方破断誘導端である切欠き３２を起点として後方内フラップ破断線２８が破断される。
【００５８】
前方に分割された天面２及び上方外フラップ１７を前上方に引き上げることによって、前方内フラップ破断線２７に連なる前面破断導入線２３及び前面破断線２２が破断され、前面３が上下に切り開かれる。その際、直線状切込線２２ａの端部から、例えば、斜め下に向けた破断や表層の剥がれを、非直線状切込線２２ｂの端部によって遮ることができる。つまり、前面破断線２２から逸れた破断や表層の剥がれの拡大を防ぐことができるので見栄えの悪化を抑制することができる。
【００５９】
同様に、後方に分割された天面２及び上方外フラップ１７を後上方に引き上げることによって、後方内フラップ破断線２８に連なる後面破断導入線２５及び後面破断線２４が破断され、後面５が上下に切り開かれる。その際の、後面破断線２４も前面破断線２２と同様に、前面破断線２２から逸れた破断や表層の剥がれの拡大を防ぐことができるので見栄えの悪化を抑制することができる。
【００６０】
このように、各破断線において、断続的に形成された切れ込み間の段ボールシート１１が次々と破断されることにより、前面破断線２２、前面破断導入線２３、後面破断線２４、後面破断導入線２５、前方内フラップ破断線２７及び後方内フラップ破断線２８の上方を取り外すことができ、図５に示すように、残った部分がそのまま商品、すなわちＰＥＴボトル入り飲料Ｐの陳列販売用のトレイ３３となる。
【００６１】
上述した実施形態においては、前面破断線２２のうち、非直線状切込線２２ｂが円弧状切込線であったが、これに限らない。なお、後面破断線２４も同様である。非直線状切込線２２ｂは、例えば図６に示すように、その両端部が、直線状切込線２２ａの配置された高さよりも底面部１４（図１参照）側に位置し、前記両端部の間に位置する頂部が、直線状切込線２２ａの配置された高さと同じ高さに位置するように構成された台形状切込線であってもよい。
【００６２】
上述した実施形態においては、前面破断線２２のうち、非直線状切込線２２ｂが、その両端部が、直線状切込線２２ａの配置された高さよりも底面部１４（図１参照）側に位置し、前記両端部の間に位置する頂部が、直線状切込線２２ａの配置された高さよりも天面部１２（図１参照）側に位置するように構成されていたが、これに限らない。
【００６３】
非直線状切込線２２ｂは、例えば図７に示すように、その両端部が、直線状切込線２２ａの配置された高さよりも底面部１４（図１参照）側に位置し、前記両端部の間に位置する頂部が、直線状切込線２２ａの配置された高さと同じ高さに位置するように構成された円弧状切込線から構成されていてもよい。
【００６４】
この場合も、非直線状切込線２２ｂは円弧状切込線でなくてもよい。すなわち、非直線状切込線２２ｂは、図８に示すように、その両端部が、直線状切込線２２ａの配置された高さよりも底面部１４（図１参照）側に位置し、前記両端部の間に位置する頂部が、直線状切込線２２ａの配置された高さと同じ高さに位置するように構成された台形状切込線から構成されていてもよい。
【００６５】
さらに、非直線状切込線２２ｂは、円弧形状、台形形状、山形形状、これらを組み合わせた形状等からなる切込線であってもよい。その際、各形状は、該切込線の正面視において、左右対称であってもよいし、非対称であってもよい。
【００６６】
上述したいずれの実施形態においても、各切込線は全切線から構成されていたが、これに限らない。切込線は、例えば、半切線やライナーカットであってもよい。なお、半切線とは、段ボールシート１１を構成する表ライナ又は裏ライナの一方及び中芯は切断されるが、裏ライナ又は表ライナの他方は切断されていない切込線である。また、ライナーカットとは、段ボールシート１１を構成する表ライナ又は裏ライナの一方は切断されるが、中芯及び裏ライナ又は表ライナの他方は切断されていない切込線である。
【００６７】
上述した実施形態では、天面２に備えられた天面破断線２１が、天面２を概して斜めに横断するように配置されている場合について説明した。しかし、天面破断線２１は、上述の構成に限らない。例えば、天面破断線２１は天面２の前後方向中央を横断するように、すなわち、天面２と前面３との稜と平行に備えられていてもよい。このとき、上方外フラップ破断線２６は、両第二側面６において前方内フラップ１８の後縁と後方内フラップ２０の前縁との中間に備えられることとなる。破断する長さ、力の伝わり方、力のかかり方の違いによって、天面破断線２１が、天面２に斜めに配置されている場合に比べて、容易に破断させることができる。
【００６８】
また、天面破断線２１は、この天面破断線２１によって二分された天面２の面積が等しくなる位置に備えられていなくてもよい。例えば、天面破断線２１は、天面部１２の中心から上方外フラップ１７に至るにつれて、例えば、後面５側へと傾斜し、両方の上方外フラップ１７において、その終端が後方内フラップ２０の前縁と重なる位置に備えられている上方外フラップ破断線２６に連なっていてもよい。
【００６９】
つまり、天面破断線２１は、天面２を横断するように備えられていればよく、これに伴って、上方外フラップ破断線２６は、少なくともその終端が、第二側面６において前方内フラップ１８と後方内フラップ２０とが向かい合う縁と重なる位置どうしの間に備えられていればよい。
【００７０】
なお、天面２と上方外フラップ１７との稜において、天面破断線２１及び上方外フラップ破断線２６を連ねる切込線は、天面部１２と上方外フラップ１７との罫線において、必ずしも天面２における部分が天面破断線２１の配置方向に沿い、上方外フラップ１７における部分が上方外フラップ破断線２６に沿うように備えられていなくてもよい。切込線は、例えば天面部１２と上方外フラップ１７との罫線において、天面破断線２１の配置方向や上方外フラップ破断線２６の配置方向に角度をもって配置されていてもよい。
【００７１】
上述したいずれの実施形態においても、前方内フラップ破断線２７及び後方内フラップ破断線２８に、切欠き３１，３２が備えられていたが、これら切欠き３１，３２は備えられていなくてもよい。また、前方内フラップ破断線２７及び後方内フラップ破断線２８は必ずしも備えられていなくてもよい。
【００７２】
上述した実施形態においては、前面破断線２２や後面破断線２４である第一側面破断線が、段ボール箱１からトレイ３３を形成するための破断線である場合について説明したが、これに限らない。第一側面破断線は、該段ボール箱１に商品取り出し用の開口部を形成するための破断線であってもよい。
【００７３】
上述した実施形態は、いずれも本発明の一例であり、当該記載により本発明が限定されるものではなく、各部の具体的構成は本発明の作用効果が奏される範囲において適宜変更設計可能である。
【符号の説明】
【００７４】
１        ：段ボール箱
２        ：天面
３        ：前面（第一側面）
４        ：底面
５        ：後面（第一側面）
６        ：第二側面
１１      ：段ボールシート
１７      ：上方外フラップ
１８      ：前方内フラップ（内フラップ）
１９      ：下方外フラップ
２０      ：後方内フラップ（内フラップ）
２１      ：天面破断線
２２      ：前面破断線（第一側面破断線）
２２ａ    ：直線状切込線
２２ｂ    ：非直線状切込線
２３      ：前面破断導入線（第一側面破断導入線）
２４      ：後面破断線（第一側面破断線）
２５      ：後面破断導入線（第一側面破断導入線）
２６      ：上方外フラップ破断線
２７      ：前方内フラップ破断線
２８      ：後方内フラップ破断線
３１      ：切欠き（前方破断誘導端）
３２      ：切欠き（後方破断誘導端）
【図１】
2020001764.tif 000003
【図２】
2020001764.tif 000004
【図３】
2020001764.tif 000005
【図４】
2020001764.tif 000006
【図５】
2020001764.tif 000007
【図６】
2020001764.tif 000008
【図７】
2020001764.tif 000009
【図８】
2020001764.tif 000010